(57)【要約】【課題】被覆より線の被覆不良など、長尺体の外観不良を安定して検知できるなめらかな凹凸を有する長尺体の外観検査装置を提供する。【解決手段】被覆ＰＣ鋼より線（長尺体）Ａの周方向に配置されてより線Ａを照らす複数の照明１０と、照明１０からの光がより線Ａの表面で実質的に正反射する方向に配置された複数のカメラＣ１，Ｃ３，Ｃ５，Ｃ７とを具える。このカメラでより線Ａの表面を撮影する際、同期手段により、実質的にカメラの光軸上において被覆より線を挟んでカメラと反対側に位置する照明１０を消灯し、それ以外の照明が点灯するように撮影のタイミングと照明の点灯・消灯のタイミングを制御する。カメラで撮影された画像を元に画像処理し、被覆の不良を検知する。【選択図】　図３
2004144595.tif 000002
【特許請求の範囲】
【請求項１】
なめらかな凹凸を有する長尺体の周方向に配置されて長尺体を照らす複数の照明と、
照明からの光が長尺体の表面で実質的に正反射する方向に配置された複数のカメラと、
前記カメラで長尺体の表面を撮影する際、実質的にカメラの光軸上において長尺体を挟んでカメラと反対側に位置する照明を消灯し、それ以外の照明が点灯するように撮影のタイミングと照明の点灯・消灯のタイミングとを制御する同期手段と、
前記カメラで撮影された画像を元に長尺体表面の不良を検知する画像処理手段とを具えることを特徴とするなめらかな凹凸を有する長尺体の外観検査装置。
【請求項２】
前記照明は長尺体が貫通走行されるリング状で、複数台のカメラに単一のリング状の照明が対応されるよう配置されることを特徴とする請求項１に記載のなめらかな凹凸を有する長尺体の外観検査装置。
【請求項３】
前記画像処理手段は、カメラで撮影された画像において、明部として認識される長尺体表面に付着した異物を除去するために、明画像収縮手段を有することを特徴とする請求項１に記載のなめらかな凹凸を有する長尺体の外観検査装置。
【請求項４】
さらに、検出した不良個所にマーキングするマーキング機構を有することを特徴とする請求項１に記載のなめらかな凹凸を有する長尺体の外観検査装置。
【請求項５】
なめらかな凹凸を有する長尺体の周方向に配置された照明で長尺体を照らし、
照明からの光が長尺体の表面で実質的に正反射する方向に複数のカメラを配置して、
前記カメラで長尺体の表面を撮影する際、実質的にカメラの光軸上において長尺体を挟んでカメラと反対側に位置する照明を消灯し、それ以外の照明が点灯するように撮影のタイミングと照明の点灯・消灯のタイミングとを同期させ、
前記カメラで撮影された画像を画像処理して長尺体の外観不良を検知することを特徴とするなめらかな凹凸を有する長尺体の外観検査方法。
【発明の詳細な説明】
【０００１】
【発明の属する技術分野】
本発明は、なめらかな凹凸を有する長尺体の外観検査装置と外観検査方法に関するものである。特に、樹脂被覆ＰＣ鋼より線における樹脂被覆の不良を画像処理にて安定して検査できる外観検査装置および外観検査方法に関するものである。
【０００２】
【従来の技術】
波付け管の樹脂被覆におけるピンホールなどを検査する技術として、目視による外観検査や特許文献１に記載の技術が知られている。特許文献１に記載の技術は、被検材（樹脂被覆波付け管）の軸方向と直交する方向にカメラを配置し、カメラと波付け管との間にハーフミラーを配置する。さらに、被検材を照らす照明を設ける。この照明の直接光とハーフミラーで反射された光のバランスにより被検材表面を均一に照らし、カメラで被検材表面の画像を得る。そして、得られた画像を微分して被検材における樹脂被覆の欠陥を検知する。
【０００３】
【特許文献１】
特開平７−２５３４０２号公報
【０００４】
一方、橋梁などの建築材料として用いられるＰＣ鋼より線でもエポキシ樹脂などの被覆が形成されたものがあり、その被覆表面における気泡（微小孔）、塗料過小部（割れ）、ふくれ（凸部）を不良として検査する必要がある。微小孔や割れがあると水の浸入による錆びの発生につながり、表面のふくれは施工時に不都合となる。そのため、これらの不良を、例えば３３００ｍ以上の製造単位全長・全周にわたって検査し、品質保証する必要がある。
【０００５】
【発明が解決しようとする課題】
しかし、上記の従来技術を樹脂被覆ＰＣ鋼より線の外観検査に利用しようとした場合、次のような問題があった。
【０００６】
（１）目視検査では長時間安定した精度で検査することが難しい。
樹脂被覆ＰＣ鋼より線は、より線表面に樹脂被覆が施されているため、被覆表面により溝が現れて凹凸があり、的確に不良を見つけ出すことは難しい。特に、上記の不良は良好部と同系色である上、最大１６０ｍｍ／ｓｅｃで製造ラインを高速移動する製品の不良を目視で確実に検知することは非常に困難である。
【０００７】
（２）特許文献１に記載の技術では、次の事情によりやはり安定した不良検知が難しく、さらには構造が複雑であるなどの問題もあった。
▲１▼ハーフミラー収納ボックスなどが樹脂被覆ＰＣ鋼より線の表面に映り、これを不良として誤検出する。
▲２▼構造が複雑で、組立作業性、検出再現性、メンテナンス性が悪い。
▲３▼カメラの感度、ハーフミラーの透過率や照明の光量を最適に組み合わせることが難しい。
【０００８】
従って、本発明の主目的は、被覆より線の被覆不良など、長尺体の外観不良を安定して検知できるなめらかな凹凸を有する長尺体の外観検査装置および外観検査方法を提供することにある。
【０００９】
【課題を解決するための手段】
本発明は、カメラでの撮影のタイミングと、照明の点灯・消灯のタイミングを適切に同期させることで上記の目的を達成する。
【００１０】
すなわち、本発明外観検査装置は、なめらかな凹凸を有する長尺体の周方向に配置されて長尺体を照らす複数の照明と、照明からの光が長尺体の表面で実質的に正反射する方向に配置された複数のカメラと、前記カメラで長尺体の表面を撮影する際、実質的にカメラの光軸上において長尺体を挟んでカメラと反対側に位置する照明を消灯し、それ以外の照明が点灯するように撮影のタイミングと照明の点灯・消灯のタイミングを制御する同期手段と、カメラで撮影された画像を元に長尺体の外観不良を検知する画像処理手段とを具えることを特徴とする。
【００１１】
また、本発明外観検査方法は、なめらかな凹凸を有する長尺体の周方向に配置された照明で長尺体を照らし、照明からの光が長尺体の表面で実質的に正反射する方向に複数のカメラを配置して、前記カメラで長尺体の表面を撮影する際、実質的にカメラの光軸上において長尺体を挟んでカメラと反対側に位置する照明を消灯し、それ以外の照明が点灯するように撮影のタイミングと照明の点灯・消灯のタイミングとを同期させ、前記カメラで撮影された画像を画像処理して長尺体の外観不良を検知することを特徴とする。
【００１２】
カメラでの撮影時、長尺体の撮影側の照明を点灯し、背景側の照明を消灯することで、ハレーションを防止して鮮明な長尺体の画像を得ることができ、高精度に長尺体の外観不良を検知することができる。
【００１３】
以下、本発明をより詳しく説明する。
本発明の検査対象は、なめらかな凹凸を有する長尺体である。「なめらか」とは、長尺体の表面粗さが小さい状態を言う。特にカメラで撮影した際に、長尺体表面に照明が映る程度に表面粗さが小さく、実質的に鏡面状であるものが挙げられる。また、「凹凸を有する」とは、例えば撮影により陰影が生じる程度の凹凸があることを言う。より具体的には、より線のように、より溝が表面に現われた線材が挙げられる。長尺体の具体例としては被覆より線がある。より代表的なものとしては、樹脂被覆ＰＣ鋼より線が挙げられる。さらに、本発明の検査対象は被覆のあるものの他、被覆のないものであっても構わない。
【００１４】
照明はなめらかな凹凸を有する長尺体の周方向に配置された複数から構成される。より具体的には、複数の照明ユニットを周方向に配列したリング状の照明とし、その周方向の一部を消灯して残部を点灯できるように構成したものが挙げられる。照明の数は、後述するカメラの台数に対応して周方向の照明領域を分割できる台数が好ましい。このようなリング状の照明を用いることで、なめらかな凹凸のある長尺体をほぼ均一に照明することが可能となる。照明ユニットには電球や発光ダイオード（ＬＥＤ）などが利用できる。
【００１５】
カメラは長尺体の画像を捉えられるものであれば特に限定されない。例えば、ＣＣＤカメラやＣ−ＭＯＳカメラなどが利用できる。カメラの台数は長尺体全周にわたって撮影できるように少なくとも４台程度は用いることが好ましい。特に、長尺体を８方向から撮影できるように８台用いることが好適である。
【００１６】
カメラの配置は同一円周上に全てのカメラを配置しても良いし、周方向の配置がずれたカメラを長手方向にずらして配置してもよい。特に、複数台のカメラに対して単一リング状の照明を用いることで、カメラ１台に対して１台のリング状の照明を用いる必要がなく、リング状の照明の台数を削減することができる。
【００１７】
また、カメラは前記照明光が長尺体で実質的に正反射する向きに配置する。すなわち、撮影ポイントを斜め方向から照明し、撮影ポイントで長尺体と直交する線を中心として対称の方向にカメラを設置する。このカメラの配置により、照明自体が長尺体に映った画像を取り込み、精度よく不良検知を行うことができる。
【００１８】
同期手段はカメラの撮影タイミングと照明の点灯・消灯のタイミングを制御する。つまり、実質的にカメラの光軸上において長尺体を挟んでカメラと反対側に位置する照明を消灯し、それ以外の照明が点灯するように制御する。それにより、長尺体の撮影側の照明を点灯し、背景側の照明を消灯することで、ハレーションを防止して鮮明な長尺体の画像を得ることができる。例えばリング状の照明を用いる場合、消灯領域が周方向に回転してゆくように制御されることになる。
【００１９】
画像処理手段は、得られた長尺体表面の画像を元に種々の処理を施し、不良の有無を検知する。例えば、得られた画像を長尺体の長手方向に微分する微分手段と、明度の変化率が大きい箇所を補足できるようなしきい値を設定して微分後の画像データを二値化処理する二値化手段を具えるものが好適である。このような画像処理手段により、長尺体の外観不良、例えば被覆の不良は、微小孔や割れは黒く、ふくれはその周囲が黒く認識され、精度よく検知することができる。
【００２０】
この画像処理手段は、カメラで撮影された画像において、長尺体表面に付着した異物を除去するために、明画像収縮手段を有することが好ましい。長尺体の表面には、長尺体の表面性状が良好であるにも関わらず、製造ライン中に浮遊する異物が付着する箇所が多数ある。前述したように、例えば被覆の不良では、微小孔や割れは黒く、ふくれはその周囲が黒く映って暗部として認識される。一方、前記の異物は白っぽい明部として認識される。そこで、得られた画像に明部収縮処理（暗部膨張処理）を施すことにより、画像上から異物を除去し、真に長尺体表面の欠陥部のみを検出することができる。
【００２１】
さらに、本発明装置は、検出した不良個所にマーキングするマーキング機構を有することが好適である。長尺体表面の不良箇所が発見されれば、その周辺は切断して廃棄するため、後に不良箇所を容易に判別できるようマーキングを行う。マーキングは押印やラベルの貼り付けなど種々の手段が利用できる。
【００２２】
【発明の実施の形態】
以下、本発明の実施の形態を説明する。
〔実施例１〕
＜検査対象＞
まず、本発明装置を説明するのに先立って、検査対象となる被覆ＰＣ鋼より線の構成について図１に基づいて説明する。図１（Ａ）は樹脂被覆ＰＣ鋼より線の断面図、（Ｂ）は側面図である。同図に示すように、この樹脂被覆ＰＣ鋼より線Ａは、複数のＰＣ鋼線Ｂがより合わせられ、そのより線の外周にエポキシ樹脂などの樹脂被覆Ｃが形成されている。被覆Ｃは表面により溝が現れるように形成されている。本例では、外径φ１５．２ｍｍのＰＣ鋼より線にエポキシ被覆を形成した製品を検査する場合を例とする。
【００２３】
＜製造・検査ライン＞
このような被覆ＰＣ鋼より線の被覆検査は、図２に示す製造・検査ライン中で行われる。すなわち、ＰＣ鋼より線をサプライ１００から供給し、エポキシ樹脂塗装機１１０に導入して樹脂被覆を形成する。この樹脂被覆は例えば粉体塗装により行われる。被覆されたＰＣ鋼より線は水冷槽１２０に導入されて被覆の冷却が行われる。その後、被覆ＰＣ鋼より線は本発明検査装置１に導入され、被覆の不良が検査される。検査の結果、不良が検知された箇所には、マーキング手段５０によりラベルが貼り付けられ、被覆ＰＣ鋼より線は巻き取りドラム１３０に巻き取られる。検査を行う際の被覆ＰＣ鋼より線の進行速度は最大１０ｍ／分程度である。
【００２４】
＜検査装置＞
本発明装置の構成を図３に基づいて説明する。図３（Ａ）は本発明装置におけるカメラと照明の配置を示す正面図、同（Ｂ）はその端面図である。
【００２５】
（照明）
図３に示すように、本発明装置は被覆ＰＣ鋼より線Ａが貫通走行するリング状の照明１０を具えている。この照明１０は、複数の照明ユニットを被覆ＰＣ鋼より線Ａの周方向に組み合わせて構成され、各ユニットを独立して点灯・消灯できるように構成されている。本例では、リング状の照明１０を周方向に４つの領域Ａ１，Ａ３，Ａ５，Ａ７に等分して、各領域ごとに点灯・消灯を行う。図３（Ｂ）において、カメラＣ１，Ｃ３，Ｃ５，Ｃ７の内側に示される円内のうち、斜線部は消灯領域を、白抜き部は点灯領域を示している。各照明ユニットにはＬＥＤを用いた。
【００２６】
（カメラ）
カメラＣ１，Ｃ３，Ｃ５，Ｃ７（２０）にはＣＣＤカメラを用いた。このカメラＣ１，Ｃ３，Ｃ５，Ｃ７は、被覆ＰＣ鋼より線Ａの同一円周上に４台のカメラＣ１，Ｃ３，Ｃ５，Ｃ７を配置して一つのリング状の照明１０と組み合わせて組み合わせ体を構成している。この組み合わせ体を２つ用意してより線の長手方向にずらして配置し、合計８つのカメラと２つのリング状の照明を用いた。一方の組み合わせ体における各カメラＣ１，Ｃ３，Ｃ５，Ｃ７と、他方の組み合わせ体における各カメラの周方向の配置はずれており、両組み合わせ体を利用することで、被覆ＰＣ鋼より線Ａを八方から撮影できるように構成した。なお、図３（Ａ）では一方の組み合わせ体しか示していないが、他方の組み合わせ体には、カメラＣ１，Ｃ３，Ｃ５，Ｃ７とは４５度ずれた配置の各カメラＣ２，Ｃ４，Ｃ６，Ｃ８が具えられている。
【００２７】
このようなリング状の照明１０とカメラＣ１，Ｃ３，Ｃ５，Ｃ７は、図３（Ａ）に示すように、各照明ユニットの光がほぼ正反射する方向に各カメラＣ１，Ｃ３，Ｃ５，Ｃ７が位置するように配置される。また、カメラＣ１，Ｃ３，Ｃ５，Ｃ７の光軸上においてより線Ａを挟んでカメラＣ１，Ｃ３，Ｃ５，Ｃ７と反対側にも照明ユニットが配置されることになる。これらのカメラＣ１，Ｃ３，Ｃ５，Ｃ７は、実際にはより線Ａに貫通される環状の円盤（図示せず）に支持されている。
【００２８】
（同期手段）
そして、同期手段３０（後述する図６）でカメラ２０（Ｃ１〜Ｃ８）の撮影タイミングと照明１０の点灯・消灯タイミングを同期させることで、被覆ＰＣ鋼より線表面の撮影を行う。
【００２９】
同期手段３０は、被覆ＰＣ鋼より線に対して、撮影するカメラ側の照明を点灯し、このカメラの背景になる側の照明を消灯するように撮影のタイミングと照明の点灯・消灯タイミングを制御する。
【００３０】
例えば、図３（Ｂ）において、カメラＣ１で撮影する場合、そのカメラの背景側となる領域Ａ５の照明を消灯し、他の照明が点灯されるように制御する。次に、カメラＣ３で撮影する場合、そのカメラの背景側となる領域Ａ７の照明を消灯し、他の照明が点灯されるように制御する。そして、図４のタイミングチャートに示すように、カメラＣ５、Ｃ７だけでなく、カメラＣ２，Ｃ４，Ｃ６，Ｃ８も同様に撮影と部分的な消灯を同期させる。このタイミングチャートにおいて、斜線部が消灯時間である。このように、カメラの撮影がＣ１→Ｃ３→Ｃ５→Ｃ７の順に行われるのに伴って、消灯される領域がＡ５→Ａ７→Ａ１→Ａ３と移動する。この同期により、図５に示すように、撮影するカメラ２０の背景だけが消灯され、それ以外の領域における照明は全て点灯されることになり、凹凸のあるより線表面を均一に照明し、かつハレーションの少ない鮮明な画像を得ることができる。本例では、５７ｍｓｅｃ周期で各領域が順次消灯されるように制御し、この処理を両組み合わせ体において並列処理することで合計８台のカメラでの撮影を行っている。
【００３１】
（画像処理手段）
得られた画像は画像処理手段４０で画像処理される。画像処理手順を図６に基づいて説明する。図６は本発明装置の機能ブロック図である。
【００３２】
まず、撮影された画像はデジタルデータに変換されて画像メモリ４１に記憶される。このメモリ４１に記憶された画像データを読み出して明部収縮処理４２を行う。通常、正常な被覆部は明るい暗部として認識され、被覆の欠陥は暗い暗部として認識されるのに対し、正常な被覆表面に付着した異物は明部として認識される。明部収縮処理４２は、製造ラインにおいて被覆表面に付着した異物などを画像上から除去するための処理である。
【００３３】
その概要を図７により説明する。図７の升目の各々は画像における単一の画素を示し、斜線部は被覆が正常な明るい暗部、白抜き部は異物の付着した明部を示している。このような画像において、太線で囲んだ走査枠４００内に入る画素の明暗を検知する。ここでは３×３の合計９画素分の領域を走査枠４００としている。図７に示す位置に走査枠４００があった場合、この枠内で最も明度の低い画素の明度に走査枠４００の中心画素の明度を置換する。この場合、走査枠４００の中心画素は明部であるため、暗部に置換される。この走査を全画面にわたって行い明部を収縮する。本例では、全画面の走査を４回繰り返し、ほぼ明部を全て暗部に置換している。
【００３４】
明部収縮処理を行った後、二値化処理４３を行い、さらに二値化画像において暗画素面積測定４４を行うことで割れを検知する。
【００３５】
一方、微小孔やふくれは、明部収縮処理画像に対して微分処理４５を行う。明部収縮処理画像における被覆ＰＣ鋼より線の長手方向の明度分布を図８に示す。図の実線が正常な被覆部の明度分布であり、破線は微小孔がある部分の明度分布である。このように、微小孔があって明度の分布にばらつきがある場合と、被覆は正常だがより溝の存在により明度の分布にばらつきがある場合とを区別することが難しい。
【００３６】
そこで、明部収縮処理画像に対して横方向（より線軸方向）への微分を行ってから二値化処理４６を行う。微分後の明度分布を図９に示す。ここでも実線が正常な被覆部の明度分布であり、破線は微小孔がある部分の明度分布である。この微分値は絶対値を示しているため、微小孔があって明度の大きく低下した箇所は、明度の下降部と上昇部のいずれもが大きなピークとして示される。従って、このピーク部の存在を認識できるしきい値で微分後の画像に二値化処理４６を施し、さらに二値化画像における暗画素面積測定４７を行えば、確実に微小孔やふくれを検知することができる。
【００３７】
割れの場合、微小孔、ふくれのいずれの場合であっても、欠陥が見つかった場合、次に述べるマーキング手段５０に欠陥信号４８を出力する。
【００３８】
（マーキング手段）
画像処理手段４０で被覆の欠陥が検知された場合、マーキング手段５０で不良位置にマーキングを行う。マーキング手段５０は、図６に示すように、被覆ＰＣ鋼より線にラベルを貼り付けるラベル貼付部５１と、貼り付けられたラベルを押えて、凹凸のあるより線にラベルが容易に剥がれないように接着させる押圧ローラ５５〜５８とを有する。ラベル貼付部５１は、欠陥位置の演算を行う演算部５２と、演算部５２の演算結果に対応してラベルを被覆ＰＣ鋼より線に貼り付ける貼付ローラ５３とを有する。
【００３９】
まず、演算部５２で、カメラの撮影ポイント（欠陥位置）から貼付ローラ５３までの距離とより線Ａ（図１０参照）の走行速度とから、欠陥位置が貼付ローラ５３の下方に位置する時間ｔを求める。次に、欠陥信号４８が出力された際のカメラの撮影時間から丁度時間ｔ経過後により線表面にラベルＬ（図１０参照）を貼り付けできるように貼付ローラ５３を駆動する。貼付ローラ５３は剥離紙に接着されたラベルＬを順次繰り出すと共に、より線Ａの表面まで降下して繰り出されたラベルＬをより線表面に貼り付ける。その後、上昇して次にラベルＬを貼り付ける場合に備える。
【００４０】
貼付ローラ５３によりより線Ａの表面にラベルＬが貼られた場合、ラベルＬは凹凸のあるより線Ａの表面に沿って貼られるわけではない。すなわち、より線Ａを軸方向から見た場合、ラベルＬのほぼ中間部がより線Ａと接触しているだけで、ラベルＬの両端部はより線Ａから浮き上がった状態になっている。そこで、貼付ローラ５３よりも下流において、押圧ローラ５５〜５８で部分的に浮き上がったラベルＬを押し付け、より線Ａに密着させる。本例では、図１０、図１１に示すように、より線Ａを上下、斜め右上、斜め左上から挟む合計４つの押圧ローラ５５〜５８を用いた。まず上流側に位置する上下の押圧ローラ５５，５６に挟まれて被覆ＰＣ鋼より線Ａが下流に送られ、その際、押圧ローラ５５によりラベルＬの中央部がより線Ａに押し付けられる。続いて、斜め右上と斜め左上に位置する両押圧ローラ５７，５８でもより線Ａを挟み込み、浮き上がったラベルＬの両端部をより線Ａに押し付ける。このようなラベルＬの貼り付けにより、容易にラベルＬが剥がれることがなく、後に欠陥位置を容易に判別することができる。
【００４１】
〔実施例２〕
実施例１では、４つのカメラに対して１つのリング状照明を組み合わせ、その組み合わせ体２組をより線の軸方向にずらして配置したが、図１２に示すように、８つのカメラＣ１〜Ｃ８をより線Ａのほぼ同一周方向に配置して、単一のリング状の照明１０を組み合わせてもよい。
【００４２】
この場合、リング状の照明１０の数を削減することができて一層好ましい。この実施例２の場合、リング状の照明１０は８つの領域に分割されて、各領域ごとに点灯と消灯が行われるように構成すればよい。
【００４３】
【発明の効果】
以上説明したように、本発明検査装置および検査方法によれば、カメラでの撮影時、長尺体の撮影側の照明を点灯し、背景側の照明を消灯することで、ハレーションを防止して鮮明な長尺体の画像を得ることができる。従って、高精度に被覆の不良など、外観不良を検知することができる。
【図面の簡単な説明】
【図１】（Ａ）は樹脂被覆ＰＣ鋼より線の断面図、（Ｂ）は同側面図である。
【図２】樹脂被覆ＰＣ鋼より線の製造・検査ラインの説明図である。
【図３】（Ａ）は本発明装置におけるカメラと照明の配置を示す正面図、同（Ｂ）はその端面図である。
【図４】本発明装置において照明の点灯・消灯のタイミングを示すタイミングチャートである。
【図５】本発明装置における照明状態の説明図である。
【図６】本発明装置の機能ブロック図である。
【図７】明部収縮処理の説明図である。
【図８】明部収縮処理画像における被覆ＰＣ鋼より線の長手方向の明度分布を示すグラフである。
【図９】微分後の明度分布を示すグラフである。
【図１０】マーキング手段の側面図である。
【図１１】押圧ローラの配置図である。
【図１２】実施例２の構成を示し、（Ａ）は本発明装置におけるカメラと照明の配置を示す正面図、同（Ｂ）はその端面図である。
【符号の説明】
１　本発明検査装置
１０　リング状の照明
２０（Ｃ１〜Ｃ８）　カメラ
３０　同期手段
４０　画像処理手段
４１　画像メモリ
４２　明部収縮処理
４３　二値化処理
４４　暗画素面積測定
４５　微分処理
４６　二値化処理
４７　暗画素面積測定
４８　欠陥信号
５０　マーキング手段
５１　ラベル貼付部
５２　演算部
５３　貼付ローラ
５５〜５８　押圧ローラ
１００　サプライ
１１０　エポキシ樹脂塗装機
１２０　水冷槽
１３０　巻き取りドラム
４００　走査枠
Ａ１，Ａ３，Ａ５，Ａ７　領域
Ａ　樹脂被覆ＰＣ鋼より線
Ｂ　ＰＣ鋼線
Ｃ　樹脂被覆
Ｌ　ラベル
【図１】
2004144595.tif 000003
【図２】
2004144595.tif 000004
【図３】
2004144595.tif 000005
【図４】
2004144595.tif 000006
【図５】
2004144595.tif 000007
【図６】
2004144595.tif 000008
【図７】
2004144595.tif 000009
【図８】
2004144595.tif 000010
【図９】
2004144595.tif 000011
【図１０】
2004144595.tif 000012
【図１１】
2004144595.tif 000013
【図１２】
2004144595.tif 000014